(57)【要約】【課題】加熱発泡材を備え、防火性能を向上できる建具を提供する。【解決手段】枠体１０及び枠体１０に開閉可能に取り付けられる障子２０を備える建具１であって、障子２０の外縁を構成する樹脂製の框体３０と、框体３０の枠体１０と対向する見込面３１ｑ，３２ｑ，３３ｑに形成される溝３１ｊ，３２ｊ，３３ｊと、溝３１ｊ，３２ｊ，３３ｊに配置される金属製の台座部３１５と、台座部３１５の見込面３６２ａに配置される加熱発泡材２９０ａ，２９０ｂ，２９０ｃと、を備える。【選択図】図４
2019085823.tif 000002
【特許請求の範囲】
【請求項１】
枠体及び前記枠体に開閉可能に取り付けられる障子を備える建具であって、
前記障子の外縁を構成する樹脂製の框体と、
前記框体の前記枠体と対向する見込面に形成される溝と、
前記溝に配置される金属製の台座部と、
前記台座部の見込面に配置される加熱発泡材と、を備える建具。
【請求項２】
前記台座部は、前記台座部の前記見込面が形成された凹部を備える請求項１に記載の建具。
【請求項３】
前記溝は、第１嵌合部を有し、
前記台座部は、前記第１嵌合部に嵌合する第２嵌合部を有する請求項１又は２に記載の建具。
【発明の詳細な説明】
【技術分野】
【０００１】
本発明は、枠体及び枠体に開閉可能に取り付けられる障子を備える建具に関する。
【背景技術】
【０００２】
従来、枠体及び枠体に開閉可能に取り付けられる障子を備える建具において、断熱性能を向上させるために枠体等を樹脂で構成し、枠体の内側の中空部に金属製の芯材を配置して防火性能を向上させた樹脂製の建具が知られている。また、火災発生時に枠体と障子の間の隙間を埋めるために加熱発泡材を配置する技術が知られている。この種の加熱発泡材に関する技術を開示するものとして例えば特許文献１がある。
【先行技術文献】
【特許文献】
【０００３】
【特許文献１】特開２０１７−２６３９号公報
【発明の概要】
【発明が解決しようとする課題】
【０００４】
建具において、加熱発泡材を配置したり、枠体の内側の中空部に金属製の芯材を配置したりして、防火性能を向上させている。防火性能を向上させるために、更なる改良が求められている。
【０００５】
本発明は、加熱発泡材を備え、防火性能を向上できる建具を提供することを目的とする。
【課題を解決するための手段】
【０００６】
本発明は、枠体（例えば、後述の枠体１０）及び前記枠体に開閉可能に取り付けられる障子（例えば、後述の障子２０）を備える建具（例えば、後述の建具１）であって、前記障子の外縁を構成する樹脂製の框体（例えば、後述の框体３０）と、前記框体の前記枠体と対向する見込面（例えば、後述の見込面３１ｑ、３２ｑ、３３ｑ）に形成される溝（例えば、後述の嵌合溝３１ｊ、３２ｊ、３３ｊ）と、前記溝に配置される金属製の台座部（例えば、後述の台座部３１５）と、前記台座部の見込面（例えば、後述の底面３６２ａ）に配置される加熱発泡材（例えば、後述の加熱発泡材２９０ａ，２９０ｂ，２９０ｃ）と、を備える建具に関する。
【０００７】
また、前記台座部は、前記台座部の前記見込面が形成された凹部（例えば、後述の凹溝部３６２）を備えることが好ましい。
【０００８】
また、前記溝は、第１嵌合部（例えば、後述の嵌合突起３１ｐ、３２ｐ、３３ｐ）を有し、前記台座部は、前記第１嵌合部に嵌合する第２嵌合部（例えば、後述の台座嵌合溝３６３）を有することが好ましい。
【発明の効果】
【０００９】
本発明によれば、加熱発泡材を備え、防火性能を向上できる建具を提供することができる。
【図面の簡単な説明】
【００１０】
【図１】本発明の一実施形態に係る建具を室外側から見た様子を示す図である。
【図２】本実施形態の建具の縦断面図である。
【図３】本実施形態の建具の横断面図である。
【図４】本実施形態の建具が備える上框に配置された台座部に加熱発泡材が取り付けられた状態を示す縦断面図である。
【図５】本実施形態の建具が備える上框に配置された台座部に加熱発泡材が取り付けられた状態を示す斜視図である。
【図６】本実施形態の建具が備える台座部及び加熱発泡材を分解した状態を示す斜視図である。
【図７】本実施形態の建具が備える下框に配置された台座部に加熱発泡材が取り付けられた状態を示す縦断面図である。
【図８】本実施形態の建具が備える吊元側縦枠に配置された台座部に加熱発泡材が取り付けられた状態を示す横断面図である。
【発明を実施するための形態】
【００１１】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１２】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１３】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１４】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１５】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１６】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１７】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００１８】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００１９】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２０】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２１】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２２】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２３】
次に、障子２０の構成について説明する。障子２０は、ガラス２５と、ガラス２５を囲うように構成される框体３０と、を含むように構成される戸体である。
【００２４】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ−Ｅ（Ｌｏｗ  Ｅｍｉｓｓｉｖｉｔｙ）ガラスで構成される。
【００２５】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２６】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２７】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００２８】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。
【００２９】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３０】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３１】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３２】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３３】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３４】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３５】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３６】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００３７】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００３８】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００３９】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４０】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４１】
また、枠体１０に開閉可能に吊り込まれる障子２０は、上枠１１と上框３１を接続するアーム部材６１によって所定以上開かないように開閉範囲が規制される。
【００４２】
次に、上框３１に配置される加熱発泡材２９０ａ、下框３２に配置される加熱発泡材２９０ｂ、及び吊元側縦框３３に配置される加熱発泡材２９０ｃについて説明する。前述の通り、框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。障子２０の框体３０は、樹脂製であり、障子２０の外縁を構成する。
【００４３】
図１に示すように、上框３１に嵌合固定される金属製の台座部３１５には、加熱発泡材２９０ａが配置される。下框３２に嵌合固定される金属製の台座部３１５には、加熱発泡材２９０ｂが配置される。吊元側縦框３３に嵌合固定される金属製の台座部３１５には、加熱発泡材２９０ｃが配置される。
【００４４】
図４は、本実施形態の建具１が備える上框３１に配置された台座部３１５に加熱発泡材２９０ａが取り付けられた状態を示す縦断面図である。図５は、本実施形態の建具１が備える上框３１に配置された台座部３１５に加熱発泡材２９０ａが取り付けられた状態を示す斜視図である。図６は、本実施形態の建具１が備える台座部３１５及び加熱発泡材２９０ａを分解した状態を示す斜視図である。
【００４５】
まず、上框３１に配置される加熱発泡材２９０ａについて説明する。
図４及び図５に示すように、前述の通り、上框３１の中空部３１ｂの上部には、嵌合溝３１ｊ（溝）が形成される。嵌合溝３１ｊは、例えば、戸先側縦框３４の戸先側面に、障子２０が閉鎖位置で固定するために使用される前述のスライドプレート５１を配置するための溝（本実施形態では、戸先側縦框３４の戸先側面に形成される嵌合溝３４ｊ）として構成されたものを、框体３０（上框３１、下框３２、吊元側縦框３３及び戸先側縦框３４）を共通化して使用する場合に、加熱発泡材２９０ａを配置するための台座部３１５を嵌合固定するための溝として使用されている。なお、後述する下框３２の嵌合溝３２ｊ及び吊元側縦框３３の嵌合溝３３ｊも同様である。
【００４６】
嵌合溝３１ｊは、上框３１の上枠１１と対向する見込面３１ｑ（框体３０の外側を向く上面）に形成され、上框３１の長手方向に延びる。嵌合溝３１ｊを構成する部分の上框３１は、上方に向けて開口するとともに、開口の手前側において、開口を閉じる見込方向に互いに近づくように突出する一対の嵌合突起３１ｐ（第１嵌合部）が形成されている。嵌合溝３１ｊには、図４及び図５に示すように、台座部３１５が嵌合固定（配置）される。
【００４７】
台座部３１５は、図５に示すように、上框３１の長手方向に延びる。台座部３１５は、その長手方向が上框３１の嵌合溝３１ｊの長手方向の全長より短い長さで構成されている。台座部３１５は、図６に示すように、断面視で方形筒状の台座本体部３６１と、上框３１における見付方向の外側の面（上面）側に形成される凹溝部（凹部）３６２と、見込方向の両端部において外側（室内側及び室外側）に開放する一対の台座嵌合溝（第２嵌合部）３６３と、台座本体部３６１の上框３１の嵌合溝３１ｊ側の面に形成される一対の当接突起部３６４と、を有する。
【００４８】
凹溝部３６２は、底面３６２ａ（見込面）と、底面３６２ａの見込方向の両端部から立ち上がる一対の突出部３６２ｂの内側面と、によりＵ字状に形成される溝である。底面３６２ａは、上框３１の見込面に平行に延びる。一対の突出部３６２ｂは、底面３６２ａから見付方向の上側（外側）に突出し、かつ、見込方向の室内側及び室外側の両側に突出する。
【００４９】
台座部３１５の凹溝部３６２の底面３６２ａには、加熱発泡材２９０ａが配置される。加熱発泡材２９０ａは、所定の厚みを有した帯状の部材であり、見込面に平行な平面状に形成され、台座部３１５の長手方向に延びる。加熱発泡材２９０ａは、台座部３１５の長手方向の全域に配置される。加熱発泡材２９０ａにおける台座部３１５と反対側の面（上面）は、図４に示すように、加熱発泡材２９０ａが台座部３１５に配置された部分において、台座部３１５の突出部３６２ｂの上面及び上框３１の上面と略同一平面上に位置する。
【００５０】
台座部３１５の一対の台座嵌合溝３６３は、図６に示すように、台座本体部３６１の側面の上側に形成される。台座部３１５の一対の台座嵌合溝３６３は、台座部３１５の長手方向に延びる。一対の台座嵌合溝３６３は、図４に示すように、上框３１の嵌合溝３１ｊの一対の嵌合突起３１ｐ（第１嵌合部）に嵌合する。
【００５１】
台座部３１５は、一対の台座嵌合溝３６３が、上框３１の一対の嵌合溝３１ｊの一対の嵌合突起３１ｐに嵌合することで、上框３１に嵌合固定される。台座嵌合溝３６３は、台座本体部３６１の側面と、嵌合溝３１ｊの開口の手前側に形成される突出部３６３ａと、突出部３６２ｂよりも嵌合溝３１ｊの開口の奥側に形成される見込方向の室内側及び室外側に突出する突出部３６３ｂと、により側方にＵ字状に開放される溝である。嵌合溝３１ｊの突出部３６３ａは、前述の凹溝部３６２の突出部３６２ｂと共通の突出部である。
【００５２】
図５に示すように、障子２０の上部の左右方向の２箇所には、芯材連結金具７０が配置される。芯材連結金具７０は、台座部３１５及び加熱発泡材２９０ａを上框３１に固定する。芯材連結金具７０は、図５に示すように、断面Ｌ字状の金属（例えば、スチール）製のプレート部材である。本実施形態の台座部３１５は、その長手方向が上框３１の嵌合溝３１ｊの長手方向の全長より短い長さで構成されている。
【００５３】
芯材連結金具７０は、その第１面７０ａが上框３１の嵌合溝３１ｊを跨って台座部３１５及び加熱発泡材２９０ａの上面に対面した状態で、締結部材としてのネジ７０１，７０２によって上框３１に固定されるとともに、第２面７０ｂが延出部３１ｆの室内側の面に対面した状態で、締結部材としてのネジ７０３によって上框３１に固定される。
【００５４】
加熱発泡材２９０ａは、図４に示すように、障子２０が閉鎖位置にある状態において、上枠１１の中空部１１ａの下部及び中空部１１ｂの室外側の下部に対向して配置される。中空部１１ｂには、金属製の上枠芯材１１０が配置される。また、上框３１における見込方向の室外側において、上框３１の延出部３１ｆの内側に形成される中空部３１ｉには、金属（例えば、スチール）製の芯材などは配置されていない。
【００５５】
このように構成される加熱発泡材２９０ａは、火災等の際には、嵌合溝３１ｊに配置された金属製の台座部３１５の上面から上方側に発泡して、台座部３１５と上枠１１との間を塞ぐ。加熱発泡材２９０ａは、内部に上枠芯材１１０が配置された上枠１１の中空部１１ｂに対向して配置されるため、火災等の際に、障子２０と枠体１０との間の隙間を塞ぐことができる。特に、上框３１における見込方向の室外側において、上框３１の延出部３１ｆの内側に形成される中空部３１ｉには、金属（例えば、スチール）製の芯材などは配置されていない。よって、中空部３１ｉを構成する上框３１の部分が溶融しても、加熱発泡材２９０ａは、台座部３１５と中空部１１ｂに配置された金属製の上枠芯材１１０との間を塞ぐことができ、障子２０と枠体１０との間の隙間を塞ぐことができる。
【００５６】
次に、下框３２に配置される加熱発泡材２９０ｂについて説明する。図７は、本実施形態の建具１が備える下框３２に配置された台座部３１５に加熱発泡材２９０ｂが取り付けられた状態を示す縦断面図である。
【００５７】
図７に示すように、前述の通り、下框３２の中空部３２ｂの下部には、嵌合溝３２ｊ（溝）が形成される。嵌合溝３２ｊは、下框３２の下枠１２と対向する見込面３２ｑ（框体３０の外側を向く下面）に形成され、下框３２の長手方向に延びる。嵌合溝３２ｊを構成する部分の下框３２は、下方に向けて開口するとともに、開口の手前において、開口を閉じる見込方向に互いに近づくように突出する一対の嵌合突起３２ｐ（第１嵌合部）が形成されている。嵌合溝３２ｊには、図７に示すように、台座部３１５が嵌合固定（配置）される。台座部３１５は、一対の台座嵌合溝（台座嵌合部）３６３が、下框３２の一対の嵌合溝３２ｊの嵌合突起３２ｐに嵌合することで、下框３２に嵌合固定される。
【００５８】
下框３２の嵌合溝３２ｊに配置される台座部３１５の構成は、前述の上框３１の嵌合溝３１ｊに配置される台座部３１５の構成と比べて、配置される框体３０が前述の上框３１に代えて下框３２であると共に配置の向きが異なるのみで、前述の上框３１の嵌合溝３１ｊに配置される台座部３１５の構成と同様の構成である。そのため、下框３２の嵌合溝３２ｊに配置される台座部３１５の構成の説明については、前述の上框３１の嵌合溝３１ｊに配置される台座部３１５の構成の説明を援用して、「上框３１」を「下框３２」と読み替えると共に配置の向きについて上下反転させた向きに読み替えて（「上方」、「上側」、「上面」及び「上部」などを、それぞれ、「下方」、「下側」、「下面」及び「下部」などに読み替えて）、その説明を省略する。
【００５９】
加熱発泡材２９０ｂは、障子２０が閉鎖位置にある状態において、下枠１２の中空部１１ａの上部及び中空部１２ｂの室外側の上部に対向して配置される。中空部１２ｂには、金属製の下枠芯材１２０が配置される。また、下框３２における見込方向の室外側において、下框３２の延出部３２ｆの内側に形成される中空部３２ｉには、金属（例えば、スチール）製の芯材などは配置されていない。
【００６０】
このように構成される加熱発泡材２９０ｂは、火災等の際には、嵌合溝３２ｊに配置された金属製の台座部３１５の下面から下方側に発泡して、台座部３１５と下枠１２との間を塞ぐ。加熱発泡材２９０ｂは、内部に下枠芯材１２０が配置された下枠１２の中空部１２ｂに対向して配置されるため、火災等の際に、障子２０と枠体１０との間の隙間を塞ぐことができる。特に、下框３２における見込方向の室外側において、下框３２の延出部３２ｆの内側に形成される中空部３２ｉには、金属（例えば、スチール）製の芯材などは配置されていない。よって、中空部３２ｉを構成する下框３２の部分が溶融しても、加熱発泡材２９０ｂは、台座部３１５と中空部１２ｂに配置された金属製の下枠芯材１２０との間を塞ぐことができ、障子２０と枠体１０との間の隙間を塞ぐことができる。
【００６１】
次に、吊元側縦框３３に配置される加熱発泡材２９０ｃについて説明する。図８は、本実施形態の建具１が備える吊元側縦框３３の台座部３１５に配置される加熱発泡材２９０ｃを示す横断面図である。
【００６２】
図８に示すように、前述の通り、吊元側縦框３３の中空部３３ｂの外側の側部には、嵌合溝３３ｊ（溝）が形成される。嵌合溝３３ｊは、吊元側縦框３３の吊元側縦枠１３と対向する見込面３３ｑ（框体３０の外側を向く側面）に形成され、吊元側縦框３３の長手方向に延びる。嵌合溝３３ｊを構成する部分の吊元側縦框３３は、側方の外側に向けて開口するとともに、開口の手前側において、開口を閉じる見込方向に互いに近づくように突出する一対の嵌合突起３３ｐ（第１嵌合部）が形成されている。吊元側縦框３３の嵌合溝３３ｊには、台座部３１５が嵌合固定（配置）される。台座部３１５は、一対の台座嵌合溝（第２嵌合部）３６３が、吊元側縦框３３の嵌合溝３３ｊの嵌合突起３３ｐに嵌合することで、吊元側縦框３３に嵌合する。
【００６３】
吊元側縦框３３の嵌合溝３３ｊに配置される台座部３１５の構成は、前述の上框３１の嵌合溝３１ｊや下框３２の嵌合溝３２ｊに配置される台座部３１５の構成と比べて、配置される框体３０が吊元側縦框３３であると共に配置の向きが異なるのみで、前述の上框３１の嵌合溝３１ｊや下框３２の嵌合溝３２ｊに配置される台座部３１５の構成と同様の構成である。そのため、吊元側縦框３３の嵌合溝３３ｊに配置される台座部３１５の構成の説明については、前述の上框３１の嵌合溝３１ｊに配置される台座部３１５の構成の説明を援用して、「上框３１」を「吊元側縦框３３」と読み替えると共に配置の向きについて９０°右回りに回転させた向きに読み替えて（「上方」、「上側」、「上面」及び「上部」などを、それぞれ、「側方」、「側方の外側」、「側面」及び「側部」などに読み替えて）、その説明を省略する。
【００６４】
吊元側縦框３３の嵌合溝３３ｊに配置される台座部３１５には、上下方向に間隔をあけて配置される複数のヒンジ１５（図１参照）のヒンジ取付板７１（図５参照）を吊元側縦框３３の吊元側縦枠１３と対向する見込面３３ｑに取り付ける場合に、図８に示すように、ヒンジ１５が取り付けられる上下方向の所定位置において、ヒンジ取付板７１を固定するネジ７１１が貫通して配置される。ヒンジ取付板７１を締結するネジ７１１は、吊元側縦框３３の嵌合溝３３ｊに配置される台座部３１５を貫通して中空部３３ｂの縦框芯材３３０まで達しており、ヒンジ取付板７１は、縦框芯材３３０にも締結固定される。
【００６５】
加熱発泡材２９０ｃは、図８に示すように、障子２０が閉鎖位置にある状態において、吊元側縦枠１３の中空部１３ａの内側の側部及び中空部１３ｂの内側の側部に対向して配置される。中空部１３ａには、前述のように、ヒンジ１５を固定するネジ１３ｉを締結する裏板部材１３ｈが配置されている。中空部１３ｂには、金属製の縦枠芯材１３０が配置される。また、吊元側縦框３３における見込方向の室外側において、吊元側縦框３３の延出部３３ｆの内側に形成される中空部３３ｉには、金属（例えば、スチール）製の芯材などは配置されていない。
【００６６】
このように構成される加熱発泡材２９０ｃは、火災等の際には、嵌合溝３３ｊに配置された金属製の台座部３１５の側面から外側の側方に発泡して、台座部３１５と吊元側縦枠１３との間を塞ぐ。加熱発泡材２９０ｃは、内部に縦枠芯材１３０が配置された吊元側縦枠１３の中空部１３ｂ及び裏板部材１３ｈが配置された中空部１３ａに対向して配置されるため、火災等の際に、障子２０と枠体１０との間の隙間を塞ぐことができる。特に、吊元側縦框３３における見込方向の室外側において、吊元側縦框３３の延出部３３ｆの内側に形成される中空部３３ｉには、金属（例えば、スチール）製の芯材などは配置されていない。よって、中空部３３ｉを構成する吊元側縦框３３の部分が溶融しても、加熱発泡材２９０ｃは、台座部３１５と中空部１３ｂに配置された金属製の縦枠芯材１３０との間、及び、台座部３１５と中空部１３ａに配置された金属製の裏板部材１３ｈとの間を塞ぐことができ、障子２０と枠体１０との間の隙間を塞ぐことができる。
【００６７】
以上説明した上記実施形態の構成によれば、以下のような効果を奏する。
建具１は、枠体１０及び枠体１０に開閉可能に取り付けられる障子２０を備える建具１であって、障子２０の外縁を構成する樹脂製の框体３０と、框体３０の枠体１０と対向する見込面３１ｑ、３２ｑ、３３ｑに形成される嵌合溝３１ｊ、３２ｊ、３３ｊと、嵌合溝３１ｊ、３２ｊ、３３ｊに配置される金属製の台座部３１５と、台座部３１５の底面３６２ａに配置される加熱発泡材２９０ａ，２９０ｂ，２９０ｃと、を備える。
【００６８】
そのため、嵌合溝３１ｊ、３２ｊ、３３ｊに配置された金属製の台座部３１５において、台座部３１５の底面３６２ａに加熱発泡材２９０ａ，２９０ｂ，２９０ｃを配置できる。これにより、台座部３１５により、嵌合溝３１ｊ、３２ｊ、３３ｊの底部をかさ上げできるため、加熱発泡材２９０ａ，２９０ｂ，２９０ｃが発泡した場合に、加熱発泡材２９０ａ，２９０ｂ，２９０ｃの発泡が対向する枠体１０の部材まで達しやすく、障子２０と枠体１０との間の隙間を効果的に塞ぐことができる。また、台座部３１５は金属製であるため、加熱発泡材２９０ａ，２９０ｂ，２９０ｃが発泡する際に、金属製の台座部３１５が壁となって、加熱発泡材２９０ａ，２９０ｂ，２９０ｃを、枠体１０側に効果的に発泡させることができる。
【００６９】
また、本実施形態では、台座部３１５は、底面３６２ａが形成された凹溝部３６２を備える。これにより、凹溝部３６２の溝に沿って加熱発泡材２９０ａ，２９０ｂ，２９０ｃを配置するだけで、加熱発泡材２９０ａ，２９０ｂ，２９０ｃを容易に台座部３１５に取り付けることができる。
【００７０】
また、本実施形態では、嵌合溝３１ｊ、３２ｊ、３３ｊは、嵌合突起３１ｐ、３２ｐ、３３ｐを有し、台座部３１５は、嵌合突起３１ｐ、３２ｐ、３３ｐに嵌合する台座嵌合溝３６３を有する。そのため、台座部３１５を嵌合溝３１ｊ、３２ｊ、３３ｊに容易に嵌合固定できる。また、嵌合溝３１ｊ、３２ｊ、３３ｊに嵌合固定された台座部３１５に加熱発泡材２９０ａ，２９０ｂ，２９０ｃを配置できるため、加熱発泡材２９０ａ，２９０ｂ，２９０ｃを安定した台座部３１５に配置できると共に、加熱発泡材２９０ａ，２９０ｂ，２９０ｃが発泡する方向を安定させることができる。これにより、障子２０と枠体１０との間の隙間を効果的に塞ぐことができる。
【００７１】
以上、本発明の好ましい実施形態について説明したが、本発明は、上述の実施形態や変形例に制限されるものではなく、適宜変更が可能である。
例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００７２】
上記実施形態では、勝手口ドアを本発明の建具の一例として説明したがこの構成に限定されるわけではなく、スイング式の開閉ドアや開閉窓等、障子を開閉する構成を備える種々の建具に本発明を適用することができる。
【符号の説明】
【００７３】
１  建具
１０  枠体
２０  障子
３０  框体
３１  上枠
３１ｊ  嵌合溝（溝）
３１ｐ  嵌合突起（第１嵌合部）
３１ｑ  見込面
３２  下枠
３２ｊ  嵌合溝（溝）
３２ｐ  嵌合突起（第１嵌合部）
３２ｑ  見込面
３３  吊元側縦框
３３ｊ  嵌合溝（溝）
３３ｐ  嵌合突起（第１嵌合部）
３３ｑ  見込面
２９０ａ，２９０ｂ，２９０ｃ  加熱発泡材
３１５  台座部
３６２  凹溝部（凹部）
３６２ａ  底面（見込面）
３６３  台座嵌合溝（第２嵌合部）
【図１】
2019085823.tif 000003
【図２】
2019085823.tif 000004
【図３】
2019085823.tif 000005
【図４】
2019085823.tif 000006
【図５】
2019085823.tif 000007
【図６】
2019085823.tif 000008
【図７】
2019085823.tif 000009
【図８】
2019085823.tif 000010